(57)【要約】ここに記載されるのは、無線ローカルエリアネットワーク（ＷＬＡＮ）信号及びセルラー信号を同じモジュールにおいて処理するべく構成された多規格無線切替可能マルチプレクサのシステム、デバイス及び方法である。フロントエンドモジュールを、ここに記載されるように、スイッチングネットワークを使用してＷＬＡＮ信号及びセルラー信号の同時動作をサポートするべく構成することができる。一般に、記載のシステム及び方法は、異なる無線システム（例えばセルラー、ＢＬＵＥＴＯＯＴＨ（登録商標）、ＷＬＡＮ、ＧＰＳ等）を、カスケード接続フィルタを使用することなく同時に動作させるべく構成することができる。
2019528656.tif 000002
【特許請求の範囲】
【請求項１】
再構成可能マルチプレクサであって、
信号ポートとの多経路動作可能性及び接続可能性を含むスイッチングネットワークと、
前記スイッチングネットワークと第１無線アクセスネットワークに関連付けられた第１双方向ポートとの間に実装された第１フィルタと、
前記スイッチングネットワークと第２無線アクセスネットワークに関連付けられた第２双方向ポートとの間に実装された第２フィルタと、
前記信号ポートと前記第１双方向ポート及び前記第２双方向ポートのいずれか一方又はその双方との間の各信号経路を与えるように前記スイッチングネットワークを制御するべく実装された制御器と
を含むマルチプレクサ。
【請求項２】
前記第１フィルタは、前記第１無線アクセスネットワークに対応する第１セルラー周波数帯域を通過させるべく構成される請求項１のマルチプレクサ。
【請求項３】
前記第２フィルタは、前記第２無線アクセスネットワークに対応する無線ローカルエリアネットワーク周波数帯域を通過させるべく構成される請求項２のマルチプレクサ。
【請求項４】
前記スイッチングネットワークと第３無線アクセスネットワークに関連付けられた第３双方向ポートとの間に実装された第３フィルタをさらに含む請求項３のマルチプレクサ。
【請求項５】
前記第３フィルタは、前記第３無線アクセスネットワークに対応する第２セルラー周波数帯域を通過させるべく構成され、
前記無線ローカルエリアネットワーク周波数帯域は、前記第１セルラー周波数帯域と前記第２セルラー周波数帯域との間に存在する請求項４のマルチプレクサ。
【請求項６】
前記スイッチングネットワークは、前記第１フィルタ、前記第２フィルタ及び前記第３フィルタの任意の組み合わせを前記信号ポートに同時に結合するべく構成される請求項５のマルチプレクサ。
【請求項７】
前記制御器は、前記信号ポートと前記第１双方向ポート、前記第２双方向ポート及び前記第３双方向ポートのいずれか一つ以上との間に各信号経路を与えるように前記スイッチングネットワークを制御する請求項４のマルチプレクサ。
【請求項８】
フロントエンドアーキテクチャであって、
信号ポートとの多経路動作可能性及び接続可能性を有するスイッチングネットワークと、前記スイッチングネットワークとそれぞれが複数の無線アクセスネットワークに関連付けられた複数の双方向ポートとの間に実装されたフィルタアセンブリとを含む再構成可能マルチプレクサと、
前記フィルタアセンブリに結合された増幅器アセンブリであって、前記フィルタアセンブリから受信した信号を増幅するべく構成された増幅器アセンブリと、
前記信号ポートと前記複数の双方向ポートの一つ以上の任意の順列との間に各信号経路を与えるように前記スイッチングネットワークを制御するべく実装された制御器と
を含むフロントエンドアーキテクチャ。
【請求項９】
前記フィルタアセンブリは、無線ローカルエリアネットワーク周波数帯域内の信号を通過させるべく構成された少なくとも一つのフィルタを含む請求項８のフロントエンドアーキテクチャ。
【請求項１０】
前記フィルタアセンブリから前記複数の双方向ポートの一つへの少なくとも一つの信号経路は、前記増幅器アセンブリを通過しない請求項８のフロントエンドアーキテクチャ。
【請求項１１】
前記少なくとも一つの信号経路は、無線ローカルエリアネットワーク周波数帯域に関連付けられた無線アクセスネットワークに対応する請求項１０のフロントエンドアーキテクチャ。
【請求項１２】
前記フィルタアセンブリの少なくとも一つのフィルタを通過する信号を受信するべく構成されたデュプレクサをさらに含む請求項９のフロントエンドアーキテクチャ。
【請求項１３】
前記制御器はさらに、前記デュプレクサを制御するべく構成される請求項１２のフロントエンドアーキテクチャ。
【請求項１４】
前記フィルタアセンブリは第１複数のフィルタ及び第２複数のフィルタを含み、
前記第１複数のフィルタのそれぞれは、各セルラー周波数帯域内の信号を通過させるべく構成され、
前記第２複数のフィルタのそれぞれは、各無線ローカルエリアネットワーク周波数帯域内の信号を通過させるべく構成される請求項８のフロントエンドアーキテクチャ。
【請求項１５】
前記第２複数のフィルタのそれぞれに関連付けられたデュプレクサをさらに含む請求項１４のフロントエンドアーキテクチャ。
【請求項１６】
無線デバイスであって、
ダイバーシティアンテナと、
前記ダイバーシティアンテナからの信号を受信して第１周波数範囲の信号を第１経路に沿うように与えるとともに第２周波数範囲の信号を第２経路に沿うように与えるべく構成されたトライプレクサと、
第１信号ポートにおいて前記トライプレクサからの第１経路に結合された第１再構成可能マルチプレクサであって、第１スイッチングネットワークと、前記第１スイッチングネットワークと第１複数の無線アクセスネットワークに関連付けられた第１複数の双方向ポートとの間に実装された第１フィルタアセンブリとを含む第１再構成可能マルチプレクサと、
前記第１フィルタアセンブリに結合された第１増幅器アセンブリであって、前記第１フィルタアセンブリから受信した信号を増幅するべく構成された第１増幅器アセンブリと、
第２信号ポートにおいて前記トライプレクサからの前記第２経路に結合された第２再構成可能マルチプレクサであって、第２スイッチングネットワークと、前記第２スイッチングネットワークと第２複数の無線アクセスネットワークに関連付けられた第２複数の双方向ポートとの間に実装された第２フィルタアセンブリとを含む第２再構成可能マルチプレクサと、
前記第２フィルタアセンブリに結合された第２増幅器アセンブリであって、前記第２フィルタアセンブリから受信した信号を増幅するべく構成された第２増幅器アセンブリと、
前記第１信号ポートと前記第１複数の双方向ポートの一つ以上の任意の順列との間に各信号経路を与えるように前記第１スイッチングネットワークを制御するべく、及び前記第２信号ポートと前記第２複数の双方向ポートの一つ以上の任意の順列との間に各信号経路を与えるように前記第２スイッチングネットワークを制御するべく、実装された制御器と
を含むデバイス。
【請求項１７】
前記第２複数の無線アクセスネットワークは、無線ローカルエリアネットワーク周波数帯域に対応する少なくとも一つの無線アクセスネットワークを含む請求項１６のデバイス。
【請求項１８】
前記トライプレクサはさらに、前記ダイバーシティアンテナからの信号を受信して第３周波数範囲の信号を第３経路に沿って与えるべく構成される請求項１６のデバイス。
【請求項１９】
前記第２マルチプレクサは、第３信号ポートにおいて前記トライプレクサからの第３経路に結合され、
前記第２再構成可能マルチプレクサは、前記第３信号ポートからの信号を受信して第３複数の無線アクセスネットワークに関連付けられた第３複数の双方向ポートへと向ける第３スイッチングネットワークを含む請求項１８のデバイス。
【請求項２０】
前記第３複数の無線アクセスネットワークは、無線ローカルエリアネットワーク周波数帯域に対応する少なくとも一つの無線アクセスネットワークを含む請求項１９のデバイス。
【請求項２１】
ダイバーシティ受信器モジュールであって、
複数のコンポーネントを受信するべく構成されたパッケージ基板と、
前記パッケージ基板に実装された再構成可能マルチプレクサであって、信号ポートとの多経路動作可能性及び接続可能性を含むスイッチングネットワークと、前記スイッチングネットワークと第１無線アクセスネットワークに関連付けられた第１双方向ポートとの間に実装された第１フィルタと、前記スイッチングネットワークと第２無線アクセスネットワークに関連付けられた第２双方向ポートとの間に実装された第２フィルタとを含む再構成可能マルチプレクサと、
前記パッケージ基板に実装された制御器と
を含み、
前記制御器は、前記信号ポートと前記第１双方向ポート及び前記第２双方向ポートのいずれか一方又はその双方との間に各信号経路を与えるように前記スイッチングネットワークを制御するべく構成されるモジュール。
【請求項２２】
前記第２無線アクセスネットワークは無線ローカルエリアネットワーク周波数帯域に対応する請求項２１のモジュール。
【請求項２３】
無線デバイスであって、
一次アンテナと、
前記一次アンテナから離間されたダイバーシティアンテナであって、複数の無線アクセスネットワークに対応する無線信号を受信するべく構成されたダイバーシティアンテナと、
前記ダイバーシティアンテナと通信するダイバーシティ受信器モジュールであって、複数のコンポーネントを受容するべく構成されたパッケージ基板を含むダイバーシティ受信器モジュールと、
制御器と
を含み、
前記ダイバーシティ受信器モジュールはさらに、前記パッケージ基板に実装された再構成可能マルチプレクサを含み、
前記再構成可能マルチプレクサは、
信号ポートとの多経路動作可能性及び接続可能性を含むスイッチングネットワークと、
前記スイッチングネットワークと前記複数の無線アクセスネットワークの第１無線アクセスネットワークに関連付けられた第１双方向ポートとの間に実装された第１フィルタと、
前記スイッチングネットワークと前記複数の無線アクセスネットワークの第２無線アクセスネットワークに関連付けられた第２双方向ポートとの間に実装された第２フィルタと
を含み、
前記制御器は、前記信号ポートと前記第１双方向ポート及び前記第２双方向ポートのいずれか一方又はその双方との間に各信号経路を与えるように前記スイッチングネットワークを制御するべく構成されるデバイス。
【請求項２４】
前記第２無線アクセスネットワークは無線ローカルエリアネットワーク周波数帯域に対応する請求項２３のデバイス。
【発明の詳細な説明】
【技術分野】
【０００１】
本開示は一般に、無線通信アプリケーションのためのフロントエンドモジュールに関する。
【０００２】
関連出願の相互参照
本願は、２０１６年８月２９日に出願された「多規格無線切替可能マルチプレクサ」との名称の米国仮出願第６２／３８０，８２０号の優先権を主張する。その全体がすべての目的のために、参照により明示的に組み入れられる。
【背景技術】
【０００３】
無線通信デバイスは典型的に、受信した無線周波数（ＲＦ）信号をフィルタリング及び／又は増幅するべく構成されたフロントエンドモジュールにおけるコンポーネントを含む。ＲＦ信号は、セルラー信号、無線ローカルエリアネットワーク（ＷＬＡＮ）信号、ＧＰＳ信号、ＢＬＵＥＴＯＯＴＨ（登録商標）信号等となり得る。フロントエンドモジュールは、これらの信号を適切なフィルタ、増幅器及び／又は処理用ダウンストリームモジュールに向けるべく構成することができる。
【先行技術文献】
【特許文献】
【０００４】
【特許文献１】米国特許出願公開第２０１５／０１３３０６７（Ａ１）号明細書
【特許文献２】米国特許出願公開第２０１３／０２６５９１２（Ａ１）号明細書
【特許文献３】米国特許出願公開第２０１４／０１１９２４５（Ａ１）号明細書
【発明の概要】
【０００５】
一定数の実装によれば、本開示は、信号ポートとの多経路動作可能性及び接続可能性を含むスイッチングネットワークを含む再構成可能マルチプレクサに関する。再構成可能マルチプレクサはまた、スイッチングネットワークと第１無線アクセスネットワークに関連付けられた第１双方向ポートとの間に実装された第１フィルタと、スイッチングネットワークと第２無線アクセスネットワークに関連付けられた第２双方向ポートとの間に実装された第２フィルタとを含む。再構成可能マルチプレクサはまた、信号ポートと第１双方向ポート及び第２双方向ポートのいずれか一方又はその双方との間に各信号経路を与えるべくスイッチングネットワークを制御するように実装された制御器を含む。
【０００６】
いくつかの実施形態において、第１フィルタは、第１無線アクセスネットワークに対応する第１セルラー周波数帯域を通過させるべく構成される。さらなる実施形態において、第２フィルタは、第２無線アクセスネットワークに対応する無線ローカルエリアネットワーク周波数帯域を通過させるべく構成される。なおもさらなる実施形態において、再構成可能マルチプレクサはさらに、スイッチングネットワークと第３無線アクセスネットワークに関連付けられた第３双方向ポートとの間に実装された第３フィルタを含む。なおもさらなる実施形態において、第３フィルタは、第３無線アクセスネットワークに対応する第２セルラー周波数帯域を通過させるべく構成される。無線ローカルエリアネットワーク周波数帯域は、第１セルラー周波数帯域と第２セルラー周波数帯域との間にある。なおもさらなる実施形態において、スイッチングネットワークは、第１フィルタ、第２フィルタ及び第３フィルタの任意の組み合わせを信号ポートに同時に結合するべく構成される。さらなる実施形態において、制御器は、信号ポートと第１双方向ポート、第２双方向ポート及び第３双方向ポートのいずれか一つ以上との間に各信号経路を与えるべくスイッチングネットワークを制御する。
【０００７】
一定数の実装によれば、本開示は、スイッチングネットワークを含む再構成可能マルチプレクサを含むフロントエンドアーキテクチャに関する。スイッチングネットワークは、当該スイッチングネットワークとそれぞれが複数の無線アクセスネットワークに関連付けられた複数の双方向ポートとの間にある信号ポート及びフィルタアセンブリとの多経路動作可能性及び接続可能性を有する。フロントエンドアーキテクチャはまた、フィルタアセンブリに結合された増幅器アセンブリを含む。増幅器アセンブリは、フィルタアセンブリから受信した信号を増幅するべく構成される。フロントエンドアーキテクチャはまた、信号ポートと複数の双方向ポートの一つ以上の任意の順列との間に各信号経路を与えるようにスイッチングネットワークを制御するべく実装された制御器を含む。
【０００８】
いくつかの実施形態において、フィルタアセンブリは、無線ローカルエリアネットワーク周波数帯域内の信号を通過させるべく構成された少なくとも一つのフィルタを含む。いくつかの実施形態において、フィルタアセンブリから複数の双方向ポートの一つへの少なくとも一つの信号経路は、増幅器アセンブリを通過しない。さらなる実施形態において、少なくとも一つの信号経路は、無線ローカルエリアネットワーク周波数帯域に関連付けられた無線アクセスネットワークに対応する。さらなる実施形態において、フロントエンドアーキテクチャはさらに、フィルタアセンブリの少なくとも一つのフィルタを通過する信号を受信するべく構成されたデュプレクサを含む。さらなる実施形態において、制御器はさらに、デュプレクサを制御するべく構成される。
【０００９】
いくつかの実施形態において、フィルタアセンブリは、第１複数のフィルタのそれぞれが各セルラー周波数帯域内の信号を通過させるべく構成された第１複数のフィルタと、第２複数のフィルタのそれぞれが各無線ローカルエリアネットワーク周波数帯域内の信号を通過させるべく構成された第２複数のフィルタとを含む。さらなる実施形態において、フロントエンドアーキテクチャはまた、第２複数のフィルタのそれぞれに関連付けられたデュプレクサを含む。
【００１０】
一定数の実装によれば、本開示は、ダイバーシティアンテナと、当該ダイバーシティアンテナからの信号を受信して第１周波数範囲の信号を第１経路に沿うように与えるとともに第２周波数範囲の信号を第２経路に沿うように与えるべく構成されたトライプレクサとを含む無線デバイスに関する。無線デバイスはまた、第１信号ポートにおいてトライプレクサからの第１経路に結合された第１再構成可能マルチプレクサを含む。第１再構成可能マルチプレクサは、第１スイッチングネットワークと、当該第１スイッチングネットワークと第１複数の無線アクセスネットワークに関連付けられた第１複数の双方向ポートとの間に実装された第１フィルタアセンブリとを含む。無線デバイスはまた、第１フィルタアセンブリに結合された第１増幅器アセンブリを含む。第１増幅器アセンブリは、第１フィルタアセンブリから受信した信号を増幅するべく構成される。無線デバイスはまた、第２信号ポートにおいてトライプレクサからの第２経路に結合された第２再構成可能マルチプレクサを含む。第２再構成可能マルチプレクサは、第２スイッチングネットワークと、当該第２スイッチングネットワークと第２複数の無線アクセスネットワークに関連付けられた第２複数の双方向ポートとの間に実装された第２フィルタアセンブリとを含む。無線デバイスはまた、第２フィルタアセンブリに結合された第２増幅器アセンブリを含む。第２増幅器アセンブリは、第２フィルタアセンブリから受信した信号を増幅するべく構成される。無線デバイスはまた、第１信号ポートと第１複数の双方向ポートの一つ以上の任意の順列との間に各信号経路を与えるように第１スイッチングネットワークを制御するべく、及び第２信号ポートと第２複数の双方向ポートの一つ以上の任意の順列との間に各信号経路を与えるように第２スイッチングネットワークを制御するべく、実装された制御器を含む。
【００１１】
いくつかの実施形態において、第２複数の無線アクセスネットワークは、無線ローカルエリアネットワーク周波数帯域に対応する少なくとも一つの無線アクセスネットワークを含む。いくつかの実施形態において、トライプレクサはさらに、ダイバーシティアンテナからの信号を受信して第３周波数範囲の信号を第３経路に沿うように与えるべく構成される。さらなる実施形態において、第２マルチプレクサは、第３信号ポートにおいてトライプレクサからの第３経路に結合される。第２再構成可能マルチプレクサは、第３信号ポートからの信号を受信してこの信号を第３複数の無線アクセスネットワークに関連付けられた第３複数の双方向ポートへと向ける第３スイッチングネットワークを含む。なおもさらなる実施形態において、第３複数の無線アクセスネットワークは、無線ローカルエリアネットワーク周波数帯域に対応する少なくとも一つの無線アクセスネットワークを含む。
【００１２】
一定数の実装によれば、本開示は、複数のコンポーネントを受容するべく構成されたパッケージ基板と、当該パッケージ基板に実装された再構成可能マルチプレクサとを含むダイバーシティ受信器モジュールに関する。再構成可能マルチプレクサは、信号ポートとの多経路動作可能性及び接続可能性を含むスイッチングネットワークと、スイッチングネットワークと第１無線アクセスネットワークに関連付けられた第１双方向ポートとの間に実装された第１フィルタと、スイッチングネットワークと第２無線アクセスネットワークに関連付けられた第２双方向ポートとの間に実装された第２フィルタとを含む。ダイバーシティ受信器モジュールはまた、パッケージ基板に実装された制御器を含む。制御器は、信号ポートと第１双方向ポート及び第２双方向ポートのいずれか一方又はその双方との間に各信号経路を与えるべくスイッチングネットワークを制御するべく構成される。
【００１３】
いくつかの実施形態において、第２無線アクセスネットワークは無線ローカルエリアネットワーク周波数帯域に対応する。
【００１４】
一定数の実装によれば、本開示は、一次アンテナと当該一次アンテナから離間されたダイバーシティアンテナとを含む無線デバイスに関する。ダイバーシティアンテナは、複数の無線アクセスネットワークに対応する無線信号を受信するべく構成される。無線デバイスはまた、ダイバーシティアンテナと通信するダイバーシティ受信器モジュールを含む。ダイバーシティ受信器モジュールは、複数のコンポーネントを受容するべく構成されたパッケージ基板を含む。ダイバーシティ受信器モジュールはさらに、パッケージ基板に実装された再構成可能マルチプレクサを含む。再構成可能マルチプレクサは、信号ポートとの多経路動作可能性及び接続可能性を含むスイッチングネットワークと、当該スイッチングネットワークと複数の無線アクセスネットワークの第１無線アクセスネットワークに関連付けられた第１双方向ポートとの間に実装された第１フィルタと、当該スイッチングネットワークと当該複数の無線アクセスネットワークの第２無線アクセスネットワークに関連付けられた第２双方向ポートとの間に実装された第２フィルタとを含む。無線デバイスはまた、信号ポートと第１双方向ポート及び第２双方向ポートのいずれか一方又はその双方との間に各信号経路を与えるようにスイッチングネットワークを制御するべく構成された制御器を含む。
【００１５】
いくつかの実施形態において、第２無線アクセスネットワークは、無線ローカルエリアネットワーク周波数帯域に対応する。
【００１６】
本開示をまとめる目的で所定の側面、利点及び新規な特徴が、ここに記載されてきた。理解すべきことだが、かかる利点のすべてが必ずしも、本発明の任意の特定実施形態によって達成できるわけではない。よって、本開示の実施形態は、ここに教示される一つの利点又は一群の利点を、ここに教示又は示唆される他の利点を必ずしも達成することなしに、達成又は最適化する態様で実行することができる。
【図面の簡単な説明】
【００１７】
【図１】一次アンテナ及びダイバーシティアンテナを有する無線デバイスを例示する。
【図２】ＤＲｘフロントエンドモジュール（ＦＥＭ）を含むダイバーシティ受信器（ＤＲｘ）構成を例示する。
【図３】フロントエンド構成に実装され得る再構成可能マルチプレクサの一例を例示する。
【図４】フロントエンド構成に実装され得る他の再構成可能マルチプレクサの一例を例示する。
【図５】マルチプレクサにおいてスイッチングネットワークに結合された複数のフィルタを含むフロントエンド構成の他例を例示する。
【図６】ＷＬＡＮ信号を目的として多数のセルラー周波数帯域及び双方向通信をサポートするフロントエンド構成を例示する。
【図７】多数のＷＬＡＮ信号帯域を目的として多数のセルラー周波数帯域及び双方向通信をサポートするフロントエンド構成を例示する。
【図８】低帯域（ＬＢ）セルラー信号と、ＷＬＡＮ２．４ＧＨｚ信号を有する中間帯域／高帯域（ＭＢ−ＨＢ）セルラー信号とをサポートするマルチプレクサのフロントエンド構成を例示する。
【図９】ＬＢ、ＭＢ−ＨＢ及びＵＨＢセルラー信号、並びに多数のＷＬＡＮ信号周波数帯域をサポートするべく構成されたフロントエンドモジュールを例示する。
【図１０】セルラー周波数帯域のための双方向通信を目的として構成されたフロントエンド構成を例示する。
【図１１】ライセンスされていないスペクトルを使用してデータスループットを増加させるＬＴＥ−ＬＡＡ（Ｌｉｃｅｎｓｅ  Ａｓｓｉｓｔｅｄ  Ａｃｃｅｓｓ）のような付加的な通信規格をサポートするべく図９のフロントエンド構成を拡張するフロントエンド構成を例示する。
【図１２】異なるフィルタ及びマルチプレクサのアーキテクチャの比較を例示する。
【図１３】いくつかの実施形態において、ダイバーシティ受信器構成のいくつか又はすべてが、全体的に又は部分的に一モジュールに実装可能なことを示す。
【図１４】いくつかの実施形態において、ダイバーシティ受信器構成のいくつか又はすべてが、全体的に又は部分的にアーキテクチャに実装可能なことを示す。
【図１５】ここに記載の一つ以上の有利な特徴を有する無線デバイス例を例示する。
【発明を実施するための形態】
【００１８】
ここに与えられる見出しは、たとえあったとしても、便宜のみのためであって、必ずしも請求項に係る発明の範囲又は意味に影響するわけではない。
【００１９】
ここに記載されるのは、複数の異なる無線アクセスネットワークを同じモジュールにおいて処理するべく構成された多規格無線切替可能マルチプレクサのためのシステム、デバイス及び方法である。例えば、無線ローカルエリアネットワーク（ＷＬＡＮ）信号とセルラー信号とを同時に処理することができるフロントエンドモジュールが開示される。これにより、単数のフロントエンドモジュールが、ＷＬＡＮ信号及びセルラー信号の同時動作をサポートすることができる。これは、ここに記載のスイッチングネットワークを使用してなすことができる。一般に、記載のシステム及び方法は、異なる無線システム（例えばセルラー、ＢＬＵＥＴＯＯＴＨ（登録商標）、ＷＬＡＮ、ＧＰＳ等）を、カスケード接続フィルタを使用することなく同時に動作させるべく構成することができる。このようにして、例えば、カスケード接続フィルタの使用からもたらされる挿入損失を低減することにより、性能が改善される。
【００２０】
導入
【００２１】
図１は、一次アンテナ１３０及びダイバーシティアンテナ１４０を有する無線デバイス１００を示す。無線デバイスは、制御器１２０により制御され得るＲＦモジュール１１４及び送受信器１１２を含む。送受信器１１２は、アナログ信号（例えば無線周波数（ＲＦ）信号）とデジタルデータ信号との間の変換を行うべく構成される。それを目的として、送受信器１１２は、デジタル・アナログ変換器、アナログ・デジタル変換器、ベース帯域アナログ信号を搬送波周波数に又は搬送波周波数から変調又復調する局所発振器、デジタルサンプルとデータビット（例えば音声又は他のタイプのデータ）との間の変換を行うベース帯域プロセッサ、又は他のコンポーネントを含み得る。
【００２２】
ＲＦモジュール１１４は一次アンテナ１３０と送受信器１１２との間に結合される。ケーブル損失ゆえの減衰を低減するべくＲＦモジュール１１４が一次アンテナ１３０に物理的に近くなり得るので、ＲＦモジュール１１４はフロントエンドモジュール（ＦＥＭ）と称することができる。ＲＦモジュール１１４は、送受信器１１２のために一次アンテナ１３０から受信したアナログ信号、又は一次アンテナ１３０を介して送信するために送受信器１１２から受信したアナログ信号、に対して処理を行うことができる。それを目的として、ＲＦモジュール１１４は、フィルタ、電力増幅器、帯域選択スイッチ、整合回路、及び他のコンポーネントを含み得る。
【００２３】
信号が無線デバイスへと送信されると、当該信号は、一次アンテナ１３０及びダイバーシティアンテナ１４０の双方において受信され得る。一次アンテナ１３０及びダイバーシティアンテナ１４０は物理的に離間されているので、一次アンテナ１３０及びダイバーシティアンテナ１４０における信号は異なる特性を有するように受信される。例えば、一実施形態において、一次アンテナ１３０及びダイバーシティアンテナ１４０は、異なる減衰、雑音、周波数応答又は位相シフトの信号を受信し得る。送受信器１１２は、信号に対応するデータビットを決定するべく異なる特性の信号の双方を使用することができる。いくつかの実装において、送受信器１１２は、当該特性に基づいて一次アンテナ１３０及びダイバーシティアンテナ１４０間から、信号対雑音比が最高のアンテナを選択するというように、選択される。いくつかの実装において、送受信器１１２は、一次アンテナ１３０及びダイバーシティアンテナ１４０からの信号を組み合わせ、組み合わされた信号の信号対雑音比を増加させる。いくつかの実装において、送受信器１１２は、多入力／多出力（ＭｉＭｏ）通信を行うように信号を処理する。
【００２４】
いくつかの実施形態において、ダイバーシティアンテナ１４０は、セルラー周波数帯域内及び無線ローカルエリアネットワーク（ＷＬＡＮ）周波数帯域内の信号を受信するべく構成される。かかる実施形態において、無線デバイス１００は、ダイバーシティ信号を異なる周波数範囲に分割するべく構成されたダイバーシティアンテナ１４０に結合されたマルチプレクサ１４２を含み得る。例えば、マルチプレクサは、低帯域セルラー周波数を含む周波数範囲を通過させる低域通過フィルタと、低帯域ＷＬＡＮ信号並びに中間帯域及び高帯域セルラー信号を含む周波数範囲を通過させる帯域通過フィルタと、高帯域ＷＬＡＮ信号を含む周波数範囲を通過させる高域通過フィルタとを含むように構成することができる。本例は、単なる例示目的にすぎない。他例として、マルチプレクサ１４２は、高域通過フィルタ及び低域通過フィルタの機能を与えるダイプレクサのような様々な異なる構成を有し得る。付加的な構成例が、異なる図面とともにここに与えられる。しかしながら、マルチプレクサ１４２の様々な構成が、ここに開示される任意の適切な実施形態とともに使用できることも理解すべきである。一定の実装において、マルチプレクサ１４２は、低温同時焼成セラミック（ＬＴＣＣ）のような多層セラミックデバイスを含む。
【００２５】
ダイバーシティアンテナ１４０は一次アンテナ１３０から物理的に離間しているので、ダイバーシティアンテナ１４０は、ケーブル又はプリント回路基板（ＰＣＢ）トレースのような送信線１３５を介して送受信器１１２に結合される。いくつかの実装において、送信線１３５は損失性であり、ダイバーシティアンテナ１４０において受信した信号を、送受信器１１２に到達する前に減衰させる。よって、いくつかの実装において、ダイバーシティアンテナ１４０において受信した信号には利得が適用される。利得（及びフィルタリングのような他のアナログ処理）は、ダイバーシティ受信器モジュール１５０によって適用することができる。かかるダイバーシティ受信器モジュール１５０は、ダイバーシティアンテナ１４０の物理的に近くに配置されるので、ダイバーシティ受信器フロントエンドモジュールと称することができる。その例がここに詳細に記載される。
【００２６】
図２は、ＤＲｘフロントエンドモジュール（ＦＥＭ）１５０を含むダイバーシティ受信器（ＤＲｘ）構成２００を示す。ＤＲｘ構成２００は、ダイバーシティ信号を受信して当該ダイバーシティ信号を、ダイプレクサ２４２を介してＤＲｘＦＥＭ１５０に与えるべく構成されたダイバーシティアンテナ１４０を含む。ダイプレクサ２４２は、第１しきい値を上回る周波数を有する第１信号をＤＲｘＦＥＭ１５０への第１経路に沿って通過させるとともに、第２しきい値を下回る周波数を有する第２信号をＤＲｘＦＥＭ１５０への第２経路に沿って通過させるように構成することができる。いくつかの実施形態において、第１しきい値は第２しきい値以上である。第１信号は、ＷＬＡＮ信号と混合されたセルラー信号（例えば中間及び／又は高帯域セルラー周波数）を含み、第２信号はセルラー信号（例えば低帯域セルラー周波数）を含み得る。いくつかの実施形態において、第１信号は、ＷＬＡＮ信号あり又はなしのセルラー信号（例えば中間及び／又は高帯域セルラー周波数）を含み、第２信号はセルラー信号（例えば低帯域セルラー周波数）を含む。
【００２７】
ＤＲｘＦＥＭ１５０は、ダイプレクサ２４２から受信したダイバーシティ信号への処理を行うべく構成される。例えば、ＤＲｘＦＥＭ１５０は、ダイバーシティ信号を、セルラー及び／又はＷＬＡＮ周波数帯域を含み得る一つ以上のアクティブな周波数帯域へとフィルタリングするべく構成することができる。制御器１２０は、目標とするフィルタに信号を選択的に向けてフィルタリングを達成するようにＤＲｘＦＥＭ１５０を制御するべく構成することができる。他例として、ＤＲｘＦＥＭ１５０は、フィルタリングされた信号の一つ以上を増幅するべく構成することができる。それを目的として、ＤＲｘＦＥＭ１５０は、フィルタ、低雑音増幅器、帯域選択スイッチ、整合回路、及び他のコンポーネントを含み得る。制御器１２０は、ＤＲｘＦＥＭ１５０を通るダイバーシティ信号用の経路をインテリジェントに選択するようにＤＲｘＦＥＭ１５０におけるコンポーネントと相互作用をするべく構成することができる。
【００２８】
ＤＲｘＦＥＭ１５０は、処理されたダイバーシティ信号の少なくとも一部分を、送信線１３５を介して送受信器１１２に送信する。送受信器１１２は、制御器１２０によって制御することができる。いくつかの実装において、制御器１２０は、送受信器１１２内に実装することができる。
【００２９】
ＤＲｘＦＥＭ１５０は、処理されたダイバーシティ信号の少なくとも一部分を無線ローカルエリアネットワーク（ＷＬＡＮ）モジュール２６０に送信することができる。ダイバーシティアンテナ１４０からのダイバーシティ信号がＷＬＡＮ信号を含む場合、制御器１２０は、かかる信号をＷＬＡＮモジュール２６０へと向けるようにＤＲｘＦＥＭ１５０を制御することができる。
【００３０】
制御器１２０は、信号を適切な信号経路に選択的に向けるべくＤＲｘＦＥＭ１５０を制御するように構成することができる。例えば、制御器１２０及びＤＲｘＦＥＭ１５０は、セルラー信号を、送信線１３５を介して送受信器１１２へと向け、ＷＬＡＮ信号をＤＲｘＦＥＭ１５０からＷＬＡＮモジュール２６０へと向ける。すなわち、ＤＲｘ構成２００は、セルラー通信及びＷＬＡＮ通信に対応する信号を受信及び処理するべく構成することができる。制御器１２０は、ダイバーシティアンテナ１４０から受信した信号が、例えば挿入損失を低減するべく適切なフィルタ及び他のコンポーネントを通るべく向けられるように、信号をインテリジェントにＤＲｘＦＥＭ１５０を通るように向けるべく構成することができる。
【００３１】
製品及びアーキテクチャの例
【００３２】
いくつかの無線デバイスにおいて、異なる無線システム間で同時に動作させることが望ましいことがある。例えば、ＷＬＡＮ信号とセルラー信号との間、ＢＬＵＥＴＯＯＴＨ（登録商標）信号とセルラー信号との間、ＧＰＳ信号とセルラー信号との間等において同時に動作させることが望ましいことがある。この同時動作を可能にし得る構成は、アンテナに取り付けられた各無線システムが目標信号を送信及び／又は受信するフロントエンドモジュールを含む。しかしながら、無線システムの数が増加するにつれて、この所望の同時動作を当該構成において達成するのに必要なアンテナの数も増加する。これは、例えば、小さなサイズがかなり重要な携帯デバイスの工業デザインにとって難題となり得る。所望の同時動作を達成するべく可能な他の構成は、目標信号を抽出して対応フロントエンドモジュールに処理を目的として送信するべく構成された任意のフロントエンドモジュールに先立って、特定のマルチプレクサ（例えば抽出器）を使用することである。しかしながら、かかるコンポーネントは、サイズを大きくするのが望ましくなく、挿入損失を増加させるのも望ましくない。
【００３３】
したがって、これらの及び他の課題を解決するべく、開示のシステム及び方法によれば、マルチプレクシング機能がフロントエンドモジュールに統合される。開示の多規格無線切替可能マルチプレクサは、共有された無線アンテナをサポートする一方でコスト、サイズ及び挿入損失を、他の既存の構成（例えば抽出器）と比べて低減する。例えば、アンテナをＷＬＡＮモジュールと共有するダイバーシティセルラーモジュールに対しては、ダイバーシティ受信モジュールにおいてＷＬＡＮフィルタがマルチプレクサに統合される。これにより経路損失を低減することができる。さらに、マルチプレクサは切替可能とすることができるので、単数のモード動作（例えば単数の無線アクセスネットワーク）において損失は、低減されて単数の無線サポートのみに構成されたシステム又はモジュールに匹敵する。すなわち、開示のマルチプレクサ及びフロントエンド構成は、マルチプレクシング機能をフロントエンドコンポーネント（例えばＤＲｘモジュール、ＭｉＭｏモジュール等）に統合及び併合し、当該マルチプレクサを、様々な動作モード（例えば単数、二重等の動作モード）における損失を低減又は最適化するべく切替可能とするように構成される。
【００３４】
図３は、フロントエンドモジュール、ダイバーシティ受信器モジュール及び／又は多入力多出力（ＭｉＭｏ）モジュールのような、これらのいくつかの例がここに記載されるフロントエンド構成３１０に実装可能な再構成可能マルチプレクサ３１１の一例を例示する。フロントエンド構成３１０は、多数の周波数帯域及び／又は異なる通信プロトコルに対応する多数の経路を有するモジュールに実装することができる。フロントエンド構成３１０は、ダイバーシティ信号を受信するべく構成されたダイバーシティアンテナ１４０を含む。いくつかの実装において、ダイバーシティ信号は、単数の周波数帯域に変調されたデータを含む単数帯域の信号としてよい。いくつかの実装において、ダイバーシティ信号は、異なる通信プロトコルを使用して多数の周波数帯域に変調された多数の周波数帯域及び／又はデータを含む多数帯域信号（帯域間キャリアアグリゲーション信号とも称する）としてよい。
【００３５】
マルチプレクサ３１１は、ダイバーシティアンテナ１４０からのダイバーシティ信号を受信する入力部３１６と、処理されたダイバーシティ信号をここに記載の送受信器のような他のコンポーネントに与える第１出力部３１７ａと、第２の処理された信号をここに記載の送受信器又はＷＬＡＮモジュールのような他のコンポーネントに与える第２出力部３１７ｂとを有する。いくつかの実施形態において、第２の処理された信号は、ＷＬＡＮモジュール（図示せず）に送信されるＷＬＡＮ信号である。いくつかの実装において、ダイバーシティ信号は、入力部３１６において受信される前に、ダイプレクサ、トライプレクサ、又は他のマルチプレクサを通過する。入力部３１６は、スイッチングネットワーク３１５の入力部へとつながる。スイッチングネットワーク３１５は、複数のマルチプレクサ出力部を含み、個々の出力部が各周波数帯域に対応する。第１出力３１７ａ及び／又は第２出力は、信号を結合する第２マルチプレクサ（図示せず）へと送信される。
【００３６】
周波数帯域は、ＵＭＴＳ（ユニバーサル移動体通信システム）周波数帯域のようなセルラー周波数帯域としてよい。例えば、第１周波数帯域が、１９３０メガヘルツ（ＭＨＺ）〜１９９０ＭＨｚのＵＭＴＳダウンリンク又は「Ｒｘ」バンド２となり、第２周波数帯域が、８６９ＭＨｚ〜８９４ＭＨｚのＵＭＴＳダウンリンク又は「Ｒｘ」バンド５となる。以下の表１に記載されるもの、又は他の非ＵＭＴＳ周波数帯域のような、他のダウンリンク周波数帯域を使用することもできる。周波数帯域はまた、ＩＥＥＥ８２０．１１無線通信規格をサポートする周波数帯域のような無線ローカルエリアネットワーク（ＷＬＡＮ）周波数帯域も含み得る。例えば、第１ＷＬＡＮ周波数帯域を、２．４ＧＨｚ〜２．４８３５ＧＨｚとなり得る２．４ＧＨｚＩＳＭ帯域（産業、科学及び医学）としてよく、第２ＷＬＡＮ周波数帯域を、５．１５ＧＨｚ〜５．８２５ＧＨｚとなり得る５ＧＨｚＩＳＭ帯域としてよい。他のＷＬＡＮ周波数帯域も同様に使用してよい。
【００３７】
フロントエンド構成３１０は、スイッチングネットワーク３１５を通る複数の経路の一つ以上を選択的にアクティブにする制御器３２０を含む。制御器３２０は、無線デバイスにおけるフロントエンド構成３１０又は他のコンポーネントにおいて、他のコンポーネントから受信した帯域選択信号に少なくとも部分的に基づいて、選択された経路をインテリジェントにアクティブにすることができる。
【００３８】
ここで述べるように、いくつかの実装において、ダイバーシティ信号は単数帯域信号である。よって、いくつかの実装において、スイッチングネットワーク３１５は、ダイバーシティ信号を、単数帯域信号の周波数帯域に対応する複数の経路の一つへと、制御器３２０から受信した信号に基づいて引き回す単極／多投（ＳＰＭＴ）スイッチである。制御器３２０は、フロントエンド構成３１０における他のコンポーネントから、又は無線デバイスの他のコンポーネントから、受信した帯域選択信号に基づいて信号を生成することができる。いくつかの例において、単数帯域のダイバーシティ信号がＷＬＡＮ信号であり、制御器３２０は、マルチプレクサ３１１からの信号を第２出力部３１７ｂへと引き回すように構成される。
【００３９】
ここで述べるように、いくつかの実装において、ダイバーシティ信号は多数帯域信号である。よって、いくつかの実装において、スイッチングネットワーク３１５は、ダイバーシティ信号を、多数帯域信号の２つ以上の周波数帯域に対応する複数の経路の２つ以上へと、制御器３２０から受信した分割器制御信号に基づいて引き回す信号分割器である。信号分割器の機能は、ＳＰＭＴスイッチ、ダイプレクサフィルタ又はこれらの何らかの組み合わせとして実装することができる。制御器３２０は、制御器３２０がシステムにおける他のコンポーネント又は制御器から受信した帯域選択信号に基づいて分割器制御信号を生成することができる。
【００４０】
よって、いくつかの実装において、制御器３２０は、制御器３２０が受信した帯域選択信号に基づいて複数の経路の一つ以上を選択的にアクティブにするように構成される。いくつかの実装において、制御器３２０は、分割器制御信号をスイッチングネットワーク３１５のような信号分割器に送信することにより、複数の経路の一つ以上を選択的にアクティブにするように構成される。
【００４１】
マルチプレクサ３１１は複数の帯域通過フィルタ３１３ａ、３１３ｂを含む。帯域通過フィルタ３１３ａ、３１３ｂはそれぞれが、複数の経路の対応する一つの経路に沿って配置され、帯域通過フィルタにおいて受信した信号を、複数の経路の当該経路の各周波数帯域へとフィルタリングするべく構成される。いくつかの実装において、帯域通過フィルタ３１３ａ、３１３ｂはさらに、帯域通過フィルタにおいて受信した信号を、複数の経路の当該経路の各周波数帯域のダウンリンク周波数サブ帯域へとフィルタリングするべく構成される。
【００４２】
再構成可能マルチプレクサ３１１は、信号ポート３１６との多経路動作可能性及び接続可能性を目的として構成されたスイッチングネットワーク３１５を含む。マルチプレクサ３１１は、スイッチングネットワーク３１５を使用して再構成可能ネットワーク選択を与えるように構成することができる。例えば、マルチプレクサ３１１は、選択されたスイッチを閉及び／若しくは開とすることにより、又はスイッチングネットワーク３１５を通る選択された経路を形成して所望の又は目標無線アクセスネットワークに関連付けられた指定フィルタに信号を向けることにより、一つ以上の無線アクセスネットワークを、処理を目的として選択するように構成することができる。マルチプレクサ３１１を通る有効にされた経路を選択するインテリジェンスが、制御器３２０によって与えられ得る。
【００４３】
再構成可能マルチプレクサ３１１は、第１無線アクセスネットワークに関連付けられたスイッチングネットワーク３１５と第１双方向ポート３１７ａとの間に実装された第１フィルタ３１３ａを含む。再構成可能マルチプレクサ３１１はまた、スイッチングネットワーク３１５と第２無線アクセスネットワークに関連付けられた第２双方向ポート３１７ｂとの間に実装された第２フィルタ３１３ｂを含む。フィルタ３１３ａ、３１３ｂは、ここの他の箇所に詳述されるフィルタのような任意の適切なフィルタとしてよい。いくつかの実装において、フィルタ３１３ａは、第１無線アクセスネットワークに対応する信号をフィルタリングするべく構成される。ここで、第１無線アクセスネットワークは、セルラー又はＷＬＡＮ通信規格に対応する第１周波数帯域に対応する。同様に、いくつかの実装において、フィルタ３１３ｂは、第２無線アクセスネットワークに対応する信号をフィルタリングするべく構成される。ここで、第２無線アクセスネットワークは、セルラー又はＷＬＡＮ通信規格に対応する第２周波数帯域に対応する。
【００４４】
制御器３２０は、信号ポート３１６と第１双方向ポート３１７ａ及び第２双方向ポート３１７ｂのいずれか一方又はその双方との間に各信号経路を与えるようにスイッチングネットワーク３１５を制御するべく実装することができる。
【００４５】
制御器３２０は、受信することができる。所望の信号の指標（例えば無線アクセスネットワーク）又は予測した信号の指標（例えば無線アクセスネットワーク）を受信し、スイッチングネットワーク３１５を通ってフィルタ３１３ａ、３１３ｂに至る対応経路を有効にすることができる。スイッチングネットワーク３１５は、ここの他の箇所に詳述される信号分割器、ダイプレクサ、スイッチの組み合わせ等として実装することができる。制御器３２０は、スイッチングネットワーク３１５を通る経路を切り替えるように構成されるので、ダイバーシティアンテナ１４０から信号ポート３１６において受信した信号が、第１無線アクセスネットワーク、第２無線アクセスネットワーク、又は第１及び第２無線アクセスネットワークからの信号を選別するフィルタ３１３ａ、３１３ｂのいずれか一方又はその双方を選択的に通過する。したがって、制御器３２０は、マルチプレクサ３１１を使用して再構成可能ネットワーク選択のためのスイッチングネットワーク３１５をインテリジェントに制御する。
【００４６】
いくつかの実装において、マルチプレクサ３１１は、制御器３２０により制御可能な再構成可能マルチプレクサである。例えば、いくつかの実装において、制御器３２０は、ダイバーシティ信号を、対応する一つ以上の出力部へと引き回すべく、マルチプレクサ３１１内の一つ以上の経路を選択的かつインテリジェントにアクティブにするように構成される。例えば、マルチプレクサ３１１は、スイッチングネットワークを通ってマルチプレクサ３１１の各出力部に至る一つ以上の同時経路を選択的に与えることができるスイッチングネットワークを含み得る。制御器３２０は、ダイバーシティ信号の内容に関する情報（例えばダイバーシティ信号に存在する周波数帯域）に少なくとも部分的に基づいて、複数の経路の一つ以上を選択的にアクティブにするように構成される。
【００４７】
ここで述べるように、入力部３１６は、ダイバーシティアンテナ１４０からのダイバーシティ信号を受信し、第１双方向ポート３１７ａが、処理されたダイバーシティ信号を送受信器に（例えば送信線を介して）与える。いくつかの実施形態において、入力部３１６は、ダイバーシティアンテナ１４０からのダイバーシティ信号を受信し、第２双方向ポート３１７ｂが、処理されたダイバーシティ信号をＷＬＡＮモジュールに与える。
【００４８】
図４は、いくつかの例がここに記載されるフロントエンドモジュール、ダイバーシティ受信器モジュール及び／又は多入力多出力（ＭｉＭｏ）モジュールのようなフロントエンド構成４１０に実装することができる他の再構成可能マルチプレクサ４１１の一例を例示する。マルチプレクサ４１１は、マルチプレクサ４１１がフィルタアセンブリ４１３及び増幅器アセンブリ４１４を含む点を除き、図３を参照してここに記載されたマルチプレクサ３１１と同様である。例示のように、マルチプレクサ４１１は、信号ポート４１６において信号を受信して３つまでの信号を出力ポート４１７ａ〜４１７ｃに与える。しかしながら、マルチプレクサ４１１が任意の適切な数の出力信号を２つ以上の出力ポートに与えることができることも理解すべきである。図４に例示される信号経路及び出力ポートの数は、例示目的にすぎない。マルチプレクサ４１１に関するここに記載の概念は、任意の所望数の信号経路及び出力ポートに拡張することができる。
【００４９】
マルチプレクサ４１１は、スイッチングネットワーク４１５を使用して再構成可能ネットワーク選択を与えるように構成することができる。例えば、マルチプレクサ４１１は、スイッチングネットワーク４１５を通る選択経路を形成して信号を、所望の又は目標の無線アクセスネットワークに関連付けられた指定フィルタ及び／又は増幅器に向けることにより、処理を目的として一つ以上の無線アクセスネットワークを選択するように構成することができる。マルチプレクサ４１１を通る有効にされた経路を選択するインテリジェンスが、図５を参照してここに記載された制御器５２０と同様に制御器６２０によって与えられ得る。
【００５０】
フィルタアセンブリ４１３は、スイッチングネットワーク４１５が与える各信号に対してフィルタリングを与える。フィルタアセンブリ４１３は、フィルタアセンブリ４１３を通る信号経路ごとに少なくとも一つのフィルタを含む。フィルタアセンブリ４１３におけるフィルタは、図３を参照してここに記載されたフィルタ３１３ａ、３１３ｂと同様としてよい。フィルタアセンブリ４１３を通る個々の信号経路のためのフィルタは、特定の無線アクセスネットワークに関連付けられた周波数帯域を通過させるように設計することができる。無線アクセスネットワークは、ここの表１に例が記載されるセルラー周波数帯域、及び／又はＷＬＡＮ周波数帯域に対応し得る。
【００５１】
増幅器アセンブリ４１４は、当該アセンブリを通過する信号に増幅を与える。いくつかの実施形態において、増幅器アセンブリ４１４は、マルチプレクサ４１１を通る信号経路の部分集合に増幅を与える。例えば、信号経路が、増幅器アセンブリ４１４を通過することなく、フィルタアセンブリ４１３から出力ポート４１７ｃへとつながる。この信号経路はその後、ＷＬＡＮ信号を処理するべく構成されたＷＬＡＮモジュールのような、出力ポート４１７ｃからの信号を処理及び／又は増幅するべく構成された専用モジュールに結合され得る。いくつかの実施形態において、フィルタアセンブリ４１３及び増幅器アセンブリ４１４の双方を通過する信号はセルラー信号であり、フィルタアセンブリ４１３を通過するが増幅器アセンブリ４１４は通過しない信号はＷＬＡＮ信号である。いくつかの実施形態において、ＷＬＡＮ信号は、フィルタアセンブリ４１３及び増幅器アセンブリ４１４を通過する。
【００５２】
増幅器アセンブリ４１４は、マルチプレクサを通る複数の経路の対応する一つの経路に沿って配置された一つ以上の増幅器を含み得る。この増幅器は、増幅器アセンブリ４１４において受信した信号を増幅するべく構成される。いくつかの実施形態において、フィルタアセンブリ４１３は、ＷＬＡＮ信号に対応する信号をフィルタリングして当該信号を、増幅器アセンブリ４１４を通過することなく第３出力部４１７ｃへと伝えるべく構成された帯域通過フィルタを含む。例えば、ＷＬＡＮ信号用の対応増幅器をＷＬＡＮモジュール（図示せず）に含めるが、増幅器アセンブリ４１４には含めなくてもよい。いくつかの実装において、フィルタアセンブリ４１３は、特定の無線アクセスネットワークに関連付けられた複数の帯域通過フィルタを含む。
【００５３】
いくつかの実装において、増幅器アセンブリ４１４は、増幅器が配置された経路の各周波数帯域内の信号を増幅するべく構成された狭帯域増幅器を含む。いくつかの実装において、増幅器アセンブリ４１４は、制御器４２０により制御可能である。例えば、いくつかの実装において、増幅器アセンブリ４１４における各増幅器は、有効／無効入力部を含み、受信した増幅器有効信号及び有効／無効入力に基づいて有効（又は無効）にされる。増幅器有効信号は、制御器４２０によって送信することができる。よって、いくつかの実装において、制御器４２０は、複数の経路の一つ以上に沿ってそれぞれが配置された増幅器アセンブリ４１４における複数の増幅器の一つ以上に増幅器有効信号を送信することにより、複数の経路の一つ以上を選択的にアクティブにするべく構成される。かかる実装においては、マルチプレクサ４１１は、制御器４２０により制御されるというよりはむしろ、ダイバーシティ信号を複数の経路のそれぞれに引き回す信号分割器を含み得る。しかしながら、制御器４２０がマルチプレクサ４１１を制御する実装において、制御器４２０はまた、例えば電池節約のために増幅器アセンブリ４１４における特定の増幅器を有効（又は無効）にすることができる。
【００５４】
いくつかの実装において、増幅器アセンブリ４１４は、複数の可変利得増幅器（ＶＧＡ）を含む。よって、これらの実装において、フロントエンド構成４１０は、複数の可変利得増幅器（ＶＧＡ）を含み、これらＶＧＡの各一つは、複数の経路の対応する一つの経路に沿って配置され、当該ＶＧＡにおいて受信した信号を、制御器４２０から受信した増幅器制御信号によって制御される利得により増幅するべく構成される。
【００５５】
ＶＧＡの利得は、バイパス可能、ステップ可変、連続可変としてよい。いくつかの実装において、ＶＧＡの少なくとも一つは、固定利得増幅器と、増幅器制御信号により制御可能なバイパススイッチとを含む。バイパススイッチは（第１位置において）、固定利得増幅器の入力部と固定利得増幅器の出力部との間の線を閉にして信号の固定利得増幅器バイパスを許容する。バイパススイッチは（第２位置において）、当該入力部と当該出力部との間の線を開にして信号に固定利得増幅器を通過させる。いくつかの実装において、バイパススイッチが第１位置にあるとき、固定利得増幅器は無効にされ、それ以外ではバイパスモードを与えるように再構成される。
【００５６】
いくつかの実装において、ＶＧＡの少なくとも一つは、当該ＶＧＡにおいて受信した信号を、増幅器制御信号が示す複数の構成量の一つの利得によって増幅するべく構成されたステップ可変利得増幅器を含む。いくつかの実装において、ＶＧＡの少なくとも一つは、当該ＶＧＡにおいて受信した信号を、増幅器制御信号に比例する利得によって増幅するべく構成された連続可変利得増幅器を含む。
【００５７】
いくつかの実装において、増幅器アセンブリ４１４は、複数の可変電流増幅器（ＶＣＡ）を含む。ＶＣＡにより引き出される電流は、バイパス可能、ステップ可変、連続可変としてよい。いくつかの実装において、ＶＣＡの少なくとも一つは、固定電流増幅器と、増幅器制御信号により制御可能なバイパススイッチとを含む。バイパススイッチは（第１位置において）、固定電流増幅器の入力部と固定電流増幅器の出力部との間の線を閉にして信号の固定電流増幅器バイパスを許容する。バイパススイッチは（第２位置において）当該入力部と当該出力部との間の線を開にして信号に固定電流増幅器を通過させる。いくつかの実装において、バイパススイッチが第１位置にあるとき、固定電流増幅器は無効とされるか又はバイパスモードを与えるように再構成される。
【００５８】
いくつかの実装において、複数のＶＣＡの少なくとも一つは、当該ＶＣＡにおいて受信した信号を、増幅器制御信号が示す複数の構成量の一つの電流を引き出すことによって増幅するべく構成されたステップ可変電流増幅器を含む。いくつかの実装において、ＶＣＡの少なくとも一つは、当該ＶＣＡにおいて受信した信号を、増幅器制御信号に比例する電流を引き出すことによって増幅するべく構成された連続可変電流増幅器を含む。
【００５９】
いくつかの実装において、増幅器アセンブリ４１４は、固定利得固定電流増幅器を含む。いくつかの実装において、増幅器アセンブリ４１４は、固定利得可変電流増幅器を含む。いくつかの実装において、増幅器アセンブリ４１４は、可変利得固定電流増幅器を含む。いくつかの実装において、増幅器アセンブリ４１４は、可変利得可変電流増幅器を含む。
【００６０】
いくつかの実装において、制御器４２０は、入力部において受信した信号のサービス品質メトリックに基づいて増幅器制御信号を生成する。いくつかの実装において、制御器４２０は、通信制御器から受信した信号に基づいて、ひいては当該受信した信号のサービス品質（ＱｏＳ）メトリックに基づいて、増幅器制御信号を生成する。受信した信号のＱｏＳメトリックは、少なくとも部分的に、ダイバーシティアンテナ１４０において受信したダイバーシティ信号（例えば入力部において受信した入力信号）に基づき得る。受信した信号のＱｏＳメトリックはさらに、一次アンテナ１６０において受信した信号に基づき得る。いくつかの実装において、制御器４２０は、通信制御器から信号を受信することなく、ダイバーシティ信号のＱｏＳメトリックに基づいて増幅器制御信号を生成する。
【００６１】
いくつかの実装において、ＱｏＳメトリックは信号強度を含む。他例では、ＱｏＳメトリックは、ビット誤り率、データスループット、送信遅延、又は任意の他のＱｏＳメトリックを含み得る。
【００６２】
いくつかの実装において、制御器４２０は、増幅器アセンブリ４１４における増幅器の利得（及び／又は電流）を制御する。いくつかの実装において、制御器４２０は、フロントエンドモジュール（ＦＥＭ）における増幅器のような無線デバイスの他のコンポーネントの利得を、増幅器制御信号に基づいて制御する。
【００６３】
フロントエンド構成４１０は、セルラーとＷＬＡＮ信号との組み合わせ（又はセルラーとＢＬＵＥＴＯＯＴＨ（登録商標）との組み合わせ、セルラーとＧＰＳとの組み合わせ等）を含み得るダイバーシティアンテナ１４０からの信号を受信するべく構成される。フロントエンド構成４１０は、抽出された信号を各モジュール（例えばフロントエンドモジュール、ＭｉＭｏモジュール、ＷＬＡＮモジュール等）に伝える前にＷＬＡＮ信号又は他の信号を抽出する他の構成に対して一つ以上の利点を与えることができる。例えば、図１２を参照して詳述されるように、フロントエンド構成４１０は、セルラー周波数を抽出するべく使用されるフィルタの数を低減することにより、及び／又はセルラー周波数に対する信号損失を低減する特定のフィルタを使用することにより、挿入損失を低減するように構成することができる。フロントエンド構成４１０は、ＷＬＡＮ周波数、セルラー周波数、又はＷＬＡＮ周波数とセルラー周波数との組み合わせのためにフィルタリングされた信号のインテリジェントな選択を使用して、これらの低減された挿入損失を与えることができる。インテリジェントな選択は、スイッチングネットワーク４１５及び制御器４２０を使用して達成される。
【００６４】
いくつかの実施形態において、出力ポート４１７ａ〜４１７は、双方向信号ポートであり、受信無線アクセスネットワーク信号を送信及び受信するべく構成される。かかる実施形態において、増幅器アセンブリ４１４は、送信を目的として信号を増幅するべく構成された増幅器と、受信した信号を増幅するべく構成された増幅器とを含み得る。さらに、かかる実施形態において、フィルタアセンブリ４１３は、アンテナ１４０による受信信号及び送信予定信号をフィルタリングするべく構成されたデュプレクサを含み得る。
【００６５】
例示されないにもかかわらず、出力ポート４１７ａ〜４１７ｃの２つ以上は、信号結合を目的として第２マルチプレクサへとつなげられる。いくつかの実施形態において、出力ポート４１７ａ〜４１７ｃの一つ以上が、他の出力ポートからの他の信号と結合されることなく、他のモジュールへとつなげられる。またも理解すべきなのは、フロントエンド構成４１０が、例示では含まれてはいないが、インピーダンス整合、位相整合、付加的フィルタリング、増幅、スイッチング等のためのコンポーネントのような、付加的なコンポーネントを含み得ることである。
【００６６】
図５は、マルチプレクサ５１１において、スイッチングネットワーク５１５に結合された複数のフィルタ５１３ａ〜５１３ｄを含むフロントエンド構成５１０の他例を例示する。フロントエンド構成５１０はまた、フィルタ５１３ａ〜５１３ｃからのフィルタリングされた経路の部分集合に結合された複数の増幅器５１４ａ〜５１４ｃを含む。スイッチングネットワーク５１５は、独立して動作可能な複数の単極単投スイッチとして例示される。制御器５２０は、関連付けられたフィルタ５１３ａ〜５１３ｄによるさらなるフィルタリング、及び関連付けられた増幅器５１４ａ〜５１４ｃによる可能な増幅を目的として、スイッチングネットワーク５１５を通る所望の又は目標の経路をインテリジェントに選択するべく、スイッチングネットワーク５１５におけるスイッチを選択的に動作させるように構成される。
【００６７】
フロントエンド構成５１０は、選択された出力ポート５１７ｄにおいて選択かつ出力され得るＷＬＡＮ信号との組み合わせにおいて、出力ポート５１７ａ〜５１７ｃにおいて出力され得る複数のセルラー信号の一つ以上を選択するように構成することができる。例示のように、フィルタ、関連付けられた増幅器、及び関連付けられた出力ポートの数は、任意の適切な数のセルラーネットワークをカバーするように拡張することができる。例えば、フロントエンド構成５１０は、Ｎ＋１個の切替可能経路を含み得る。ここで、Ｎ個の経路はそれぞれが、セルラー周波数帯域及び対応増幅器に関連付けられた特定のフィルタを通過し、残りの経路は、ＷＬＡＮ信号（例えばＷＬＡＮ２．４ＧＨｚ信号）に関連付けられたフィルタを通過する。
【００６８】
図６は、多数のセルラー周波数帯域及びＷＬＡＮ信号用双方向通信をサポートするフロントエンド構成７１０を例示する。フロントエンド構成７１０は、図４及び図５を参照してそれぞれが記載されたマルチプレクサ４１１、５１１と同様のマルチプレクサ７１１を含む。フロントエンド構成７１０は、図５を参照してここに詳述されたスイッチングネットワーク５１５、フィルタ５１３ａ〜５１３ｄ及び増幅器５１４ａ〜５１４ｃと同様のスイッチングネットワーク７１５、フィルタ７１３ａ〜７１３ｄ、及び増幅器７１４ａ〜７１４ｃを含む。フロントエンド構成７１０はさらに、ＷＬＡＮ信号の双方向通信を与えるデュプレクサ７１９（例えばスイッチ）を含む。フロントエンド構成７１０は、スイッチングネットワーク７１５及びデュプレクサ７１９を選択的に制御するべく構成された制御器７２０を含む。フロントエンド構成７１０はまた、受信したＷＬＡＮ信号を増幅するべく構成された増幅器７１４ｄ（例えば低雑音増幅器すなわちＬＮＡ）と、送信を目的としてＷＬＡＮ信号を増幅するべく構成された増幅器７１８（例えば電力増幅器すなわちＰＡ）とを含む。送信を目的とするＷＬＡＮ信号は、ＷＬＡＮ送信ポート７１７において受信され、アンテナ１４０を使用して送信を目的として信号ポート７１６まで伝えられる。したがって、フロントエンド構成７１０は、多数のセルラー信号をマルチプレクシングし、受信したＷＬＡＮ信号を抽出し、及び送信を目的としてＷＬＡＮ信号を処理するべく構成することができる。いくつかの実施形態において、フロントエンド構成７１０は、ＷＬＡＮ２．４ＧＨｚ信号をフィルタリングするのと連動して、多数の中間帯域及び／又は高帯域セルラー周波数帯域の同時処理をサポートするべく構成される。
【００６９】
図７は、多数のセルラー周波数帯域及び多数のＷＬＡＮ信号帯域用の双方向通信サポートするフロントエンド構成８１０を例示する。図６を参照して記載されたフロントエンド構成７１０と同様、フロントエンド構成８１０は、セルラー信号用の複数の信号経路を含む。当該経路は、スイッチングネットワーク８１５、フィルタ８１３ａ〜８１３ｃ及び増幅器８１４ａ〜８１４ｃを通過するべく構成される。図６を参照して記載したフロントエンド構成７１０を詳しく述べると、２つのＷＬＡＮ信号周波数帯域（例えばＷＬＡＮ２．４ＧＨｚ信号及びＷＬＡＮ５ＧＨｚ信号）のためのフロントエンド構成８１０は、双方向通信をサポートする。フロントエンド構成８１０は、ＷＬＡＮ信号用の双方向通信をサポートする２つのデュプレクサ８１９ａ、８１９ｂを含む。フロントエンド構成８１０は、受信したＷＬＡＮ信号に対し、スイッチングネットワーク８１５からフィルタ８１３ｄ、８１３ｅ及び増幅器８１４ｄ、８１４ｅを通って出力ポート８１７ｄ、８１７ｆに至る経路を選択的に与える。フロントエンド構成８１０は、アンテナ１４０による送信を目的としてＷＬＡＮ送信ポート８１７ｅ、８１７ｇから増幅器８１８ａ、８１８ｂ、フィルタ８１３ｄ、８１３ｅ及びスイッチングネットワーク８１５を通って信号ポート８１６に至る経路を選択的に与える。フロントエンド構成８１０は、スイッチングネットワーク８１５及びデュプレクサ８１９ａ、８１９ｂを選択的に制御するべく構成された制御器８２０を含む。したがって、フロントエンド構成８１０は、多数のセルラー信号をマルチプレクシングし、受信したＷＬＡＮ信号を多数のＷＬＡＮ周波数帯域から抽出し、ＷＬＡＮ信号を、多数のＷＬＡＮ周波数帯域から送信を目的として処理するべく構成することができる。いくつかの実施形態において、フロントエンド構成８１０は、ＷＬＡＮ２．４ＧＨｚ及び５ＧＨｚ信号をフィルタリングするのと連動して、多数の中間帯域及び／又は高帯域セルラー周波数帯域の同時処理をサポートするべく構成される。
【００７０】
図８は、ＷＬＡＮ２．４ＧＨｚ信号を有するサポート低帯域（ＬＢ）セルラー信号及び中間帯域／高帯域（ＭＢ−ＨＢ）セルラー信号それぞれをサポートするマルチプレクサ９１１ａ、９１１ｂを含むフロントエンド構成９１０を例示する。マルチプレクサ９１１ａ、９１１ｂに信号を送信するのに先立ち、アンテナ１４０からの信号は、図１を参照してここに記載されたトライプレクサ１４２を通過する。トライプレクサ１４２は、低帯域セルラー周波数をマルチプレクサ９１１ａへと通過させる低域通過フィルタを含み得る。トライプレクサ１４２は、中間帯域及び高帯域セルラー信号並びにＷＬＡＮ信号をマルチプレクサ９１１ｂへと通過させる帯域通過フィルタを含み得る。トライプレクサ１４２は、超高帯域セルラー信号及び／又は高周波数ＷＬＡＮ信号を他のマルチプレクサ又はモジュール（図示せず）へと通過させる高域通過フィルタを含み得る。図面における明確性を目的として図示しないにもかかわらず、フロントエンド構成９１０が、スイッチングネットワーク９１５ａ、９１５ｂを選択的に制御するべく構成された制御器を含むことを理解すべきである。
【００７１】
フロントエンド構成９１０は、低帯域セルラー信号のためのマルチプレクサ９１１ａを含む。マルチプレクサ９１１ａは、図３を参照してここに詳述されたマルチプレクサ３１１と同様である。フロントエンド構成９１０は、中間帯域及び高帯域セルラー信号並びにＷＬＡＮ信号（例えばＷＬＡＮ２．４ＧＨｚ信号）のためのマルチプレクサ９１１ｂを含む。マルチプレクサ９１１ｂは、図５を参照してここに詳述されたマルチプレクサ５１１と同様である。いくつかの実施形態において、マルチプレクサ９１１ａは、トライプレクサ１４２が定義するしきい値周波数未満のセルラー周波数帯域をサポートするべく構成される。一定の実装において、マルチプレクサ９１１ａは、ＷＬＡＮ信号用の経路を含まない。いくつかの実施形態において、マルチプレクサ９１１ｂは、トライプレクサ１４２が定義する一定範囲の周波数内にあるセルラー周波数帯域をサポートするべく構成される。一定の実装において、マルチプレクサ９１１ｂは、各経路がセルラー周波数帯域に対応する複数の経路と、ＷＬＡＮ周波数帯域（例えばＷＬＡＮ２．４ＧＨｚ）に対応する単数の経路とを含む。ＷＬＡＮ周波数帯域は、複数のセルラー周波数帯域によりカバーされる周波数範囲内に収まる。
【００７２】
フロントエンド構成９１０は、専用モジュールにおけるさらなる処理を目的としてＷＬＡＮ信号を選別するべくＷＬＡＮ信号経路をフロントエンドモジュールに統合するべく構成することができる。これは、専用モジュールにおける処理を目的としてＷＬＡＮ信号を選別するべくトライプレクサ１４２又は他のマルチプレクサを使用することとは対照的である。したがって、フロントエンド構成９１０は、同時ＷＬＡＮ／セル動作を維持しながらも、嵩張るＷＬＡＮ／セルマルチプレクサを単純なダイプレクサ又はトライプレクサ（例えばＬＣダイプレクサ又はＬＣトライプレクサ）に置換するべく構成することができる。これは、セル挿入損失を有意に低減することができる。
【００７３】
フロントエンド構成９１０は、ＬＢ及びＭＢ−ＨＢセルラー周波数並びにＷＬＡＮ２．４Ｇ周波数をサポートする２×２ＭｉＭｏ共有によりシステムをサポートするべく構成することができる。フロントエンド構成９１０は、複数のアンテナのそれぞれに対して繰り返すことができる。例えば、フロントエンド構成９１０は、ＬＢ及びＭＢ−ＨＢセルラー周波数とＷＬＡＮ２．４Ｇ周波数とをサポートする４×４ＭｉＭｏ共有を有するシステムをサポートするように繰り返すことができる。
【００７４】
図９は、ＬＢ、ＭＢ−ＨＢ及びＵＨＢセルラー信号並びに多数のＷＬＡＮ信号周波数帯域（例えばＷＬＡＮ２．４ＧＨｚ及びＷＬＡＮ５ＧＨｚ）をサポートするべく構成されたフロントエンドモジュール１０１０を例示する。フロントエンド構成１０１０は、図８を参照して記載されたマルチプレクサ９１１ａに類似するＬＢセルラー信号用のマルチプレクサ１０１１ａを含む。フロントエンド構成１０１０は、ＭＢ−ＨＢセルラー信号、ＵＨＢセルラー信号、並びにＭＢ−ＨＢセルラー周波数範囲に近い又はその中の周波数範囲を有するＷＬＡＮ信号及びＵＨＢセルラー周波数範囲に近い又はその中の周波数範囲を有する高周波数ＷＬＡＮ信号をサポートするべく構成された第２マルチプレクサ１０１１ｂを含む。図８においてのように、スイッチングネットワーク１０１５ａ〜１０１５ｃを制御する制御器が存在する。
【００７５】
第２マルチプレクサは第１スイッチングネットワーク１０１５ｂ及び第２スイッチングネットワーク１０１５ｃを含む。第１スイッチングネットワーク１０１５ｂは、ＷＬＡＮ信号を含むＭＢ−ＨＢセルラー周波数範囲に収まる信号を選択的に引き回すように構成される。同様に、第２スイッチングネットワーク１０１５ｃは、ＷＬＡＮ信号を含むＵＨＢセルラー周波数範囲内に収まる信号を選択的に引き回すように構成される。第１及び第２スイッチングネットワーク１０１５ｂ、１０１５ｃはセルラー信号を、フィルタ１０１３ｄ〜１０１３ｇ及び対応増幅器１０１４ｄ〜１０１４ｇを通って出力ポート１０１７ｄ〜１０１７ｇに至るように引き回す。同様に、第１及び第２スイッチングネットワーク１０１５ｂ、１０１５ｃはＷＬＡＮ信号を、フィルタ１０１３ｈ、１０１３ｉを通って出力ポート１０１７ｈ〜１０１７ｉに至るように引き回す。
【００７６】
トライプレクサ１４２は、アンテナ１４０からのＬＢセルラー信号をフィルタリングする。ＬＢセルラー信号は、マルチプレクサ１０１１ａにおけるスイッチングネットワーク１０１５ａへと向けられる。トライプレクサ１４２は、ＭＢ−ＨＢセルラー周波数範囲内のＭＢ−ＨＢセルラー信号及びＷＬＡＮ信号をフィルタリングする。当該フィルタリングされた信号は、第２マルチプレクサ１０１１ｂにおける第１スイッチングネットワーク１０１５ｂへと向けられる。トライプレクサ１４２は、ＭＢ−ＨＢセルラー周波数範囲を上回るＵＨＢセルラー信号及びＷＬＡＮ信号をフィルタリングする。当該フィルタリングされた信号は、第２マルチプレクサ１０１１ｂにおける第２スイッチングネットワーク１０１５ｃへと向けられる。第１スイッチングネットワーク１０１５ｂは、制御器の制御下においてセルラー信号を、対応フィルタ１０１３ｄ〜１０１３ｆ及び増幅器１０１４ｄ〜１０１４ｆを通るように引き回す。第１スイッチングネットワーク１０１５ｂは、制御器の制御下においてＷＬＡＮ信号を、対応フィルタ１０１３ｈを通るように引き回す。同様に、第２スイッチングネットワーク１０１５ｃは、制御器の制御下においてセルラー信号を、対応フィルタ１０１３ｇ及び増幅器１０１４ｇを通るように引き回す。第２スイッチングネットワーク１０１５ｃは、制御器の制御下においてＷＬＡＮ信号を、対応フィルタ１０１３ｉを通るように引き回す。したがって、フロントエンド構成１０１０は、広範囲のセルラー周波数帯域及び当該セルラー周波数帯域のいずれかに収まるＷＬＡＮ信号にわたってセルラー周波数をサポートするように構成することができる。挿入損失は、フィルタと、フロントエンド構成１０１０内でセルラー信号及びＷＬＡＮ信号をインテリジェントかつ選択的にフィルタリングするトライプレクサ１４２との組み合わせに少なくとも部分的に起因して低減され得る。
【００７７】
フロントエンド構成１０１０は、２×２ＭｉＭｏ共有及びセル／ＷＬＡＮ２．４Ｇ／５Ｇ信号を有するシステムをサポートするべく構成することができる。例示の構成を、例えば２回繰り返すことにより、４×４ＭｉＭｏ共有及びセル／ＷＬＡＮ２．４Ｇ／５Ｇ信号を有するシステムをサポートすることができる。
【００７８】
図１０は、セルラー周波数帯域のための双方向通信を目的として構成されたフロントエンド構成１１１０を例示する。ここに記載されるように、アンテナ１３０は、トライプレクサ１３２により３つの周波数帯域に分割された信号を受信する。同様に、３つの異なる信号帯域からの信号は、アンテナ１３０による送信を目的としてトライプレクサ１３２が結合する。ＬＢセルラー信号は、スイッチングネットワーク１１１５ａと各経路が第１マルチプレクサ１１１１ａを通るデュプレクサとを有する第１マルチプレクサ１１１１ａを通るように引き回される。例えば、第１マルチプレクサ１１１１ａは、２つの経路及び２つのデュプレクサ１１１３ａ、１１１３ｂを有するように例示される。しかしながら、付加的な経路にマルチプレクサ１１１１ａを設けることができることも理解すべきである。各セルラー周波数帯域又は無線アクセスネットワークに対し、受信した信号を増幅する受信増幅器１１１４ａ、１１１４ｂが与えられ、送信を目的として信号を増幅する送信増幅器１１１８ａ、１１１８ｂが与えられる。
【００７９】
ＭＢ−ＨＢセルラー信号は、第１スイッチングネットワーク１１１５ｂと各経路がセルラー周波数帯域に関連付けられたデュプレクサとを有する第２マルチプレクサ１１１１ｂを通るように引き回される。例えば、第２マルチプレクサ１１１１ｂは、第１スイッチングネットワーク１１１５ｂに結合された２つの経路及び２つのデュプレクサ１１１３ｃ、１１１３ｄを有するように例示される。しかしながら、付加的な経路に第２マルチプレクサ１１１１ｂを設けることができることも理解すべきである。各セルラー周波数帯域又は無線アクセスネットワークに対し、受信した信号を増幅する受信増幅器１１１４ｃ、１１１４ｄが与えられ、送信を目的として信号を増幅する送信増幅器１１１８ｃ、１１１８ｄが与えられる。
【００８０】
ＵＨＢセルラー信号は、第２スイッチングネットワーク１１１５ｃとセルラー周波数帯域に関連付けられたフィルタ１１１３ｅとを有する第２マルチプレクサ１１１１ｂを通るように引き回される。ＵＨＢセルラー信号は、受信した信号、及び送信を目的とする信号を、フィルタ１１１３ｅ及び第２スイッチングネットワーク１１１５ｃを通るように引き回すデュプレクサ１１１９（例えばスイッチ）を通るように引き回される。セルラー周波数帯域又は無線アクセスネットワークに対し、受信した信号を増幅する受信増幅器１１１４ｅが与えられ、送信を目的として信号を増幅する送信増幅器１１１８ｅが与えられる。
【００８１】
第２信号ポート１１１６ｂにおいてトライプレクサ１３２から与えられるＷＬＡＮ信号は、第１スイッチングネットワーク１１１５ｂを通るようにかつ第１ＷＬＡＮフィルタ１１１３ｆを通るように引き回される。同様に、第３信号ポート１１１６ｃにおいてトライプレクサから与えられるＷＬＡＮ信号は、第２スイッチングネットワーク１１１５ｃを通るようにかつ第２ＷＬＡＮフィルタ１１１３ｇを通るように引き回される。いくつかの実施形態において、第２信号ポート１１１６ｂにおけるＷＬＡＮ信号はＷＬＡＮ２．４ＧＨｚ信号に対応し、第３信号ポート１１１６ｃにおけるＷＬＡＮ信号はＷＬＡＮ５ＧＨｚ信号に対応する。
【００８２】
フロントエンド構成１１１０は、セルラー及びＷＬＡＮ信号を送信及び受信するべくフロントエンドモジュールに実装することができる。セルラー及びＷＬＡＮ２．４Ｇ／５Ｇ信号をサポートするセル及びＷＬＡＮ４×４ＭｉＭｏ共有を有するシステムを形成するべく、フロントエンド構成１１１０を２回繰り返し、図１０を参照してここに記載されるフロントエンド構成１０１０の２つの複製と組み合わせることができる。フロントエンド構成１１１０は、例えば無線デバイスにおける一次経路をサポートすることができる一方、当該無線デバイスにおけるダイバーシティ経路をサポートすることができる。
【００８３】
図１１は、ライセンスされていないスペクトルを使用してデータスループットを増加させるＬＴＥ−ＬＡＡ（Ｌｉｃｅｎｓｅ  Ａｓｓｉｓｔｅｄ  Ａｃｃｅｓｓ）のような付加的な通信規格をサポートするべく、図９を参照してここに記載されたフロントエンド構成１０１０を拡張するフロントエンド構成１２１０を例示する。フロントエンド構成１２１０は、フロントエンド構成１０１０と同様であるが、ＷＬＡＮ５Ｇ周波数帯域の信号を選択的にＷＬＡＮモジュールに向けるべく、又は当該信号を、増幅器１２１４ｉを通るように向けるべく、複数のスイッチ１２１９ａ〜１２１９ｃを付加的に含む。増幅器１２１４ｉを通るように向けられた信号はその後、出力ポート１２１７ｉにおいてセルラー信号として処理され、又はポート１２１７ｊにおいてＷＬＡＮモジュールへと伝えられる。いくつかの実施形態において、フィルタ１２１３ｉを通過する信号は、増幅器１２１４ｉを通過することなく、ポート１２１７ｊにおいてＷＬＡＮモジュールへと伝えられる。増幅器１２１４ｉを通ってポート１２１７ｉを抜け出るように引き回された信号は、ＬＴＥ−ＬＡＡ性能を与えるべく使用することができる。フィルタ１２１３ｉは、ＷＬＡＮ５Ｇ信号用のフィルタとして構成することができる。
【００８４】
図１２は、異なるフィルタ及びマルチプレクサアーキテクチャの比較を例示する。プロットは、外部マルチプレクサの後にＷＬＡＮ及びセルラーフィルタをマルチプレクサに組み入れることに関連付けられた挿入損失の改善を例示する３つの異なるアーキテクチャに対応するシミュレーションデータを与える。外部マルチプレクサの後にＷＬＡＮ及びセルラーフィルタをマルチプレクサに組み入れるフロントエンド構成の例がここに与えられる。いくつかの実施形態において、カスケード接続フィルタを除去することにより、性能が改善される。いくつかの実施形態において、開示のアーキテクチャは、ここに記載されるスイッチングネットワークを有するマルチプレクサの使用により、ＷＬＡＮ及びセルラーの同時動作を有効にする。
【００８５】
第１例アーキテクチャ１３００ａ（データがプロットされて当該プロットにおいて標識「Ａ」で示される）が、アンテナ１４０、ダイプレクサ１３０５ａ、セルラーフィルタ１３１０及びＷＬＡＮフィルタ１３１５を含む。いくつかの実施形態において、ダイプレクサ１３０５ａは、低温同時焼成セラミック（ＬＴＣＣ）フィルタとしてよい。この汎用アーキテクチャは、図３〜図１１を参照してここに記載されたフロントエンド構成例に対応する。例示されないにもかかわらず、ダイプレクサ１３０５ａとフィルタ１３１０、１３１５との間にスイッチングネットワークが実装可能であることを理解すべきである。
【００８６】
第２例アーキテクチャ１３００ｂ（データがプロットされて当該プロットにおいて標識「Ｂ」により示される）が、アンテナ１４０、マルチプレクサ１３０５ｂ及びセルラーフィルタ１３１０を含む。この汎用アーキテクチャは、セルラー及びＷＬＡＮ信号を、専用モジュール（例えばダイバーシティモジュール、ＭｉＭｏモジュール、ＷＬＡＮモジュール等）へと直接引き回すべく、マルチプレクサ１３０５ｂにおいて抽出する構成に対応する。
【００８７】
第３例アーキテクチャ１３００ｃ（データがプロットされ当該プロットにおいて標識「Ｃ」により示される）が、アンテナ１４０、第１ダイプレクサ１３０５ｃ、第２ダイプレクサ１３０７及びセルラーフィルタ１３１０を含む。この汎用アーキテクチャは、最初に信号を高周波数及び低周波数に分割し、その後、セルラー信号からＷＬＡＮ信号を抽出する抽出器が追従する構成に対応する。
【００８８】
３つのプロットは、３つのセルラー周波数帯域例Ｂ２５、Ｂ６６及びＢ４１のための周波数の関数としての挿入損失に対応する。よって、セルラーフィルタ１３１０はそれぞれ、左側にプロットされるＢ２５セルラー帯域、中間にプロットされるＢ６６セルラー帯域、及び右側にプロットされるＢ４１セルラー帯域に対応する。各プロットにおいて、第１構成１３００ａでは、他の２つのアーキテクチャ１３００ｂ、１３００ｃと比べて挿入損失を低減することが実証される。したがって、ここに記載されるようにセルラーフィルタ及びＷＬＡＮフィルタを再構成可能マルチプレクサに組み入れることにより、所望の又は目標のセルラー周波数帯域を目的として信号をフィルタリングするのに先立ってＷＬＡＮ信号を抽出するダイプレクサ、トライプレクサ、マルチプレクサ及び／又はカスケード接続フィルタを使用するアーキテクチャと比べて挿入損失を低減することができる。第１アーキテクチャ１３００ａ適切な場合にＷＬＡＮ信号を抽出するべく、受信した信号をインテリジェントにフィルタリングすることに少なくとも部分的に起因して、挿入損失を低減することができる。同様に、第１例アーキテクチャ１３００ａにおいてダイプレクサ１３０５ａが導入する損失に少なくとも部分的に起因して、挿入損失を低減することができる。この損失は、第２例アーキテクチャ１３００ｂにおけるマルチプレクサ１３０５ｂ、及び第３例アーキテクチャ１３００ｃにおける第１ダイプレクサ１３０５ｃと第２ダイプレクサ１３０７との組み合わせが導入する損失よりも小さい。したがって、第１アーキテクチャ１３００ａは、特定の無線アクセスネットワークを目的として信号を専用フィルタに向ける並列スイッチを使用することにより、セルラー信号及びＷＬＡＮ信号のマルチプレクシングを改善することができる。これにより、例えば、ノッチフィルタと特定の無線アクセスネットワーク用の専用フィルタとのカスケード接続のような、多数のフィルタをカスケード接続することから生じる挿入損失を低減することができる。
【００８９】
ここに記載されるように、フロントエンド構成は、ＷＬＡＮ信号を、フロントエンドモジュール（例えばＤＲｘモジュール）を通るように引き回して少なくとも一つのフィルタリング動作を行うように構成することができる。これらのアーキテクチャは、セルラー信号とＷＬＡＮ信号とが互いに近いときに特に有益となり得る。これらの信号が互いに近いとき、フィルタのカスケード接続の使用に、又はＷＬＡＮ信号を除去又は抽出するセルラー信号へのノッチフィルタの使用に、少なくとも部分的に起因して、損失は増加し得る。記載のフロントエンド構成はまた、専用フィルタをフロントエンド構成に組み入れることを介して、ＷＬＡＮモジュールのような他のモジュールにおけるフィルタの除去を可能にすることができる。いくつかの実装において、ここに記載されるように専用フィルタを再構成可能マルチプレクサにおいて使用することにより、各無線アクセスネットワーク用の、又は各通信プロトコル（例えばセルラー、ＷＬＡＮ、ＢＬＵＥＴＯＯＴＨ（登録商標）、ＧＰＳ等）用の、専用アンテナを有するシステムと同様の性能を与えることができる。
【００９０】
モジュール、アーキテクチャ及びデバイスの例
【００９１】
図１３は、いくつかの実施形態において、特徴（例えば図３〜１１）の組み合わせを有するダイバーシティ受信器構成のいくつか又はすべてを含むダイバーシティ受信器構成のいくつか又はすべてを、全体的又は部分的に一モジュールに実装することができる。かかるモジュールは、例えば、フロントエンドモジュール（ＦＥＭ）としてよい。かかるモジュールは、例えば、ダイバーシティ受信器（ＤＲｘ）ＦＥＭとしてよい。かかるモジュールは、例えば、多入力多出力（ＭｉＭｏ）モジュールとしてよい。
【００９２】
図１３の例において、モジュール１４５０がパッケージ基板１４０２を含み、かかるパッケージ基板１４０２に一定数のコンポーネントが取り付けられる。例えば、（フロントエンド電力管理集積回路［ＦＥ−ＰＩＭＣ］を含み得る）制御器１４２０、ここに記載される一つ以上の特徴を有する増幅器アセンブリ１４０６（例えば電力増幅器、低雑音増幅器等）、再構成可能マルチプレクサ１４１１を含むマルチプレクシングアセンブリ１４１０、（一つ以上の帯域通過フィルタを含み得る）フィルタバンク１４０８を、パッケージ基板１４０２上に及び／又はパッケージ基板１４０２内に取り付け及び／又は実装することができる。いくつかの実施形態において、フィルタバンク１４０８は、マルチプレクシングアセンブリ１４１０の一部として実装される。パッケージ基板１４０２には、一定数のＳＭＴデバイス１４０５のような他のコンポーネントを取り付けることもできる。理解されることだが、様々なコンポーネントのすべてがパッケージ基板１４０２にレイアウトされるように描かれるにもかかわらず、いくつかのコンポーネントを他のコンポーネントの上に実装することもできる。
【００９３】
図１４は、いくつかの実施形態において、特徴（例えば図３〜１１）の組み合わせを有するダイバーシティ受信器構成のいくつか又はすべてを含むダイバーシティ受信器構成のいくつか又はすべてを、一アーキテクチャにおいて、全体的又は部分的に一モジュールに実装することができる。かかるアーキテクチャは、一つ以上のモジュールを含み、ダイバーシティ受信器（ＤＲｘ）フロントエンド機能のようなフロントエンド機能を与えるべく構成することができる。
【００９４】
図１４の例において、アーキテクチャ１５５０は、（フロントエンド電力管理集積回路［ＦＥ−ＰＩＭＣ］を含み得る）制御器１５２０、ここに記載される一つ以上の特徴（例えば電力増幅器、低雑音増幅器等）を有する増幅器アセンブリ１５０６、再構成可能マルチプレクサ１５１１を有するマルチプレクシングアセンブリ１５１０、（一つ以上の帯域通過フィルタを含み得る）フィルタバンク１５０８を含み得る。いくつかの実施形態において、フィルタバンク１５０８は、マルチプレクシングアセンブリ１５１０の一部として実装される。一定数のＳＭＴデバイス１５０５のような他のコンポーネントを、アーキテクチャ１５５０に実装することもできる。
【００９５】
いくつかの実装において、ここに記載される一つ以上の特徴を有するデバイス及び／又は回路を、無線デバイスのようなＲＦ電子デバイスに含めることができる。かかるデバイス及び／又は回路は、無線デバイスに直接、ここに記載されるモジュラー形態で、又はこれらの何らかの組み合わせで実装することができる。いくつかの実施形態において、かかる無線デバイスは、例えば、スマートフォンのような携帯電話機、電話機能あり又はなしのハンドヘルド無線デバイス、無線タブレット等を含み得る。
【００９６】
図１５は、ここに記載される一つ以上の有利な特徴を有する無線デバイス例１６００を描く。ここに記載される一つ以上の特徴を有する一つ以上のモジュールの文脈において、かかるモジュールは一般に、（例えばフロントエンドモジュールとして実装可能な）破線の囲い１６１０、（例えばフロントエンドモジュールとして実装可能な）ダイバーシティ受信器（ＤＲｘ）モジュール１６５０、及び無線ローカルエリアネットワーク（ＷＬＡＮ）モジュール１６６０によって描くことができる。
【００９７】
電力増幅器（ＰＡ）１６２０は、送受信器１６１２から各ＲＦ信号を受信することができる。送受信器１６１２は、増幅及び送信対象のＲＦ信号を生成するように、及び受信信号を処理するように、構成されて動作することができる。送受信器１６１２は、ユーザに適切なデータ及び／又は音声信号と送受信器１６１２に適切なＲＦ信号との間の変換を与えるように構成されたベース帯域サブシステムＭ１６０９と相互作用をするように示される。送受信器１６１２はまた、無線デバイス１６００の動作を目的として電力を管理するべく構成された電力管理コンポーネント１６０６と通信することができる。かかる電力管理もまた、ベース帯域サブシステム１６０９並びにモジュール１６１０、１６５０及び１６６０の動作も制御することができる。
【００９８】
ベース帯域サブシステム１６０９は、ユーザに与えられ及びユーザから受信する音声及び／又はデータの様々な入力及び出力を容易にするべくユーザインタフェイス１６０２に接続されるように示される。ベース帯域サブシステム１６０９はまた、無線デバイスの動作を容易にするべく及び／又はユーザのための情報格納を与えるべく、データ及び／又は命令を格納するように構成されたメモリ１６０４に接続することができる。
【００９９】
無線デバイス例１６００において、ＰＡ１６２０の出力は、（各整合回路１６２２を介して）整合されて各デュプレクサ１６２４へと引き回される。かかる増幅されかつフィルタリングされた信号は、送信を目的としてスイッチングネットワーク１６１５を介して一次アンテナ１６３０へと引き回すことができる。いくつかの実施形態において、デュプレクサ１６２４により、共通アンテナ（例えば一次アンテナ１６３０）を使用して送信動作及び受信動作を同時に行うことが許容され得る。受信した信号は、例えば低雑音増幅器（ＬＮＡ）１６２６を含み得る「Ｒｘ」経路へと引き回すことができる。
【０１００】
無線デバイス例１６００において、一次アンテナ１６３０において受信した信号は、フロントエンドモジュール１６１０における再構成可能マルチプレクサ１６１１ａへと送信することができる。再構成可能マルチプレクサ１６１１ａは、特定の無線アクセスネットワークに対応する周波数を通過させるべく構成された帯域通過フィルタを含むデュプレクサ１６２４を含み得る。いくつかの実施形態において、マルチプレクサ１６１１ａを通る少なくとも一つの経路が、無線デバイス１６００のＷＬＡＮモジュール１６６０又は他のＷＬＡＮモジュールに送信されるＷＬＡＮ信号に対応する。この経路は、ＷＬＡＮ信号に対応する信号を通過させるべく構成されたフィルタ１６１３を通過する。いくつかの実装において、再構成可能マルチプレクサ１６１１ａは、図１０を参照してここに記載されたマルチプレクサ１１１１ｂと同様してよい。
【０１０１】
無線デバイスはまた、ダイバーシティアンテナ１６４０と、当該ダイバーシティアンテナからの信号１６４０を受信するダイバーシティ受信器モジュール１６５０とを含む。ダイバーシティ受信モジュールは、フロントエンドモジュール１６１０において、再構成可能マルチプレクサ１６１１ａと同様の再構成可能マルチプレクサ１６１１ｂを含む。ダイバーシティ受信器モジュール１６５０及び再構成可能マルチプレクサ１６１１ｂは、受信した信号を処理してその処理されたセルラー信号を、送信線１３５を介して送受信器１６１２へと送信する。ダイバーシティ受信器モジュール１６５０及び再構成可能マルチプレクサ１６１１ｂは、受信した信号を処理してその処理されたＷＬＡＮ信号をＷＬＡＮモジュール１６６０に送信する。いくつかの実施形態において、ダイプレクサ又はトライプレクサを、ここに記載されるように、ダイバーシティアンテナ１６４０とダイバーシティＲｘモジュール１６５０との間に含めることができる。
【０１０２】
本開示の一つ以上の特徴を、ここに記載される様々なセルラー周波数帯域とともに実装することができる。かかる帯域の例を表１に挙げる。理解されることだが、当該帯域の少なくともいくつかは、サブ帯域に分割することができる。本開示の一つ以上の特徴が、表１の例のような指定を有しない周波数範囲とともに実装し得ることも理解される。無線周波数（ＲＦ）及び無線周波数信号との用語が、少なくとも表１に挙げられる周波数を含む信号を言及することが理解される。
【表１】
2019528656.tif 000003
【０１０３】
本開示は、様々な特徴を記載するが、その単一の特徴のみがここに記載される利益に対する責任を負うわけではない。理解されることだが、ここに記載される様々な特徴は、当業者にとって明らかなように結合し、修正し、又は省略することができる。ここに具体的に記載されるもの以外のコンビネーション及びサブコンビネーションも、当業者にとって明らかであって、本開示の一部を形成することが意図される。様々な方法が、様々なフローチャートステップ及び／又はフェーズに関連してここに記載される。理解されることだが、多くの場合、一定のステップ及び／又はフェーズは、フローチャートに示される多重のステップ及び／又はフェーズが単数のステップ及び／又はフェーズとして行うことができるように、一緒に組み合わせることができる。さらに、一定のステップ及び／又はフェーズは、別個に行うべく付加的な下位コンポーネントに分解することもできる。いくつかの例において、ステップ及び／又はフェーズの順序は再配列することができ、一定のステップ及び／又はフェーズを完全に省略することもできる。さらに、ここに記載される方法は、ここに図示され及び記載されるものに対する付加的なステップ及び／又はフェーズも行うことができるような、オープンエンドとして理解される。
【０１０４】
ここに記載されるシステム及び方法のいくつかの態様は有利なことに、例えば、コンピュータソフトウェア、ハードウェア、ファームウェア、又は、コンピュータソフトウェア、ハードウェア及びファームウェアの任意の組み合わせを使用して実装可能である。コンピュータソフトウェアは、実行時にここに記載の機能を行う、コンピュータ可読媒体（例えば非一時的コンピュータ可読媒体）に記憶されたコンピュータ実行可能コードを含み得る。いくつかの実施形態において、コンピュータ実行可能コードは、一つ以上の汎用コンピュータプロセッサによって実行される。当業者であれば、本開示に照らし、汎用コンピュータにおいて実行されるソフトウェアを使用して実装可能な任意の特徴又は機能が、ハードウェア、ソフトウェア又はファームウェアの異なる組み合わせを使用しても実装可能であることがわかる。例えば、かかるモジュールは、集積回路の組み合わせを使用して完全にハードウェアに実装することができる。代替的に又は付加的に、かかる特徴又は機能は、汎用コンピュータによらず、ここに記載される特定の機能を実行するべく設計された専用コンピュータを使用して完全に又は部分的に実装可能である。
【０１０５】
多重分散されたコンピューティング装置を、ここに記載される任意の一つのコンピューティングデバイスの代わりに用いることができる。かかる分散された実施形態において、分散されたコンピューティングデバイスのそれぞれにおいていくつかの機能が行われるように、一つのコンピューティングデバイスの機能が（例えばネットワークを介して）分散される。
【０１０６】
いくつかの実施形態は、式、アルゴリズム、及び／又はフローチャートの例示を参照して記載することができる。当該方法は、一つ以上のコンピュータにおいて実行可能なコンピュータプログラム命令を使用して実装することができる。当該方法はまた、別個に又は装置若しくはシステムの一コンポーネントとしてのいずれかでコンピュータプログラム製品として実装することができる。この点において、式、アルゴリズム、ブロック、又はフローチャートのステップ、及びこれらの組み合わせのそれぞれを、コンピュータ可読プログラムコード論理に具体化された一つ以上のコンピュータプログラム命令を含むハードウェア、ファームウェア及び／又はソフトウェアによって実装することができる。わかることだが、かかるコンピュータプログラム命令はいずれも、コンピュータ又は他のプログラム可能処理デバイスにおいて実行されるコンピュータプログラム命令が、式、アルゴリズム及び／又はフローチャートに特定される機能を実装するように、制約なしに汎用コンピュータ若しくは専用コンピュータ、又は機械をもたらす他のプログラム可能処理装置を含む一つ以上のコンピュータにロードすることができる。またも理解されることだが、式、アルゴリズム、及び／又はフローチャートのブロックの例示、並びにこれらの組み合わせのそれぞれは、特定の機能若しくはステップ、又は、専用ハードウェアとコンピュータ可読プログラムコード論理手段との組み合わせを行う専用ハードウェア系コンピュータシステムによって実装することができる。
【０１０７】
さらに、コンピュータ可読プログラムコード論理に具体化されるコンピュータプログラム命令はまた、コンピュータ可読メモリ（例えば非一時的コンピュータ可読媒体）に記憶させることができる。当該コンピュータ可読メモリは、コンピュータ可読メモリに記憶された命令がフローチャートのブロックに特定された機能を実装するように、一つ以上のコンピュータ又は他のプログラム可能処理デバイスを特定の態様で機能させることができる。コンピュータプログラム命令はまた、一つ以上のコンピュータ又は他のプログラム可能コンピューティングデバイスにロードされて当該一以上のコンピュータ又は他のプログラム可能コンピューティングデバイスにおいて一連の動作ステップを実行させることにより、当該コンピュータ又は他のプログラム可能処理装置において実行される命令が、式、アルゴリズム、及び／又はフローチャートブロックに特定される機能を実装するためのステップを与えるようにコンピュータ実装プロセスをもたらすことができる。
【０１０８】
ここに記載される方法及びタスクのいくつか又はすべては、コンピュータシステムによって行われ及び完全に自動化することができる。コンピュータシステムは、いくつかの場合において、記載の機能を行うべくネットワークを介して通信し及び相互運用される多数の別個のコンピュータ又はコンピューティングデバイス（例えば物理的サーバ、ワークステーション、記憶アレイ等）を含み得る。かかるコンピューティングデバイスはそれぞれが典型的に、メモリ又は他の非一時的コンピュータ可読記憶媒体若しくは装置に記憶されたプログラム命令又はモジュールを実行するプロセッサ（又は多重プロセッサ）を含む。ここに開示の様々な機能は、かかるプログラム命令に具体化することができる。ただし、代替的に、開示の機能のいくつか又はすべてを、コンピュータシステムの特定用途向け回路（例えばＡＳＩＣ又はＦＰＧＡ）に実装してよい。コンピュータシステムが多数のコンピューティングデバイスを含む場合、当該デバイスは共通位置に配置してよいが、必ずしもその必要はない。開示の方法及びタスクの結果は、半導体メモリチップ及び／又は磁気ディスクのような物理的記憶デバイスを異なる状態に変換することよって永続的に記憶することができる。
【０１０９】
本明細書及び特許請求の範囲全体にわたり、文脈上そうでないことが明らかでない限り、「含む」等の用語は、排他的又は網羅的な意味とは反対の包括的意味に、すなわち「〜を含むがこれらに限られない」との意味に解釈すべきである。ここで一般に使用される用語「結合」は、直接接続されるか又は一つ以上の中間要素を介して接続されるかいずれかとなり得る２以上の要素を言及する。加えて、用語「ここ」、「上」、「下」及び同様の趣旨の用語は、本願において使用される場合、本願全体を言及し、本願の任意の特定部分を言及するわけではない。文脈が許容する場合、単数又は複数を使用する上述の詳細な説明における用語はそれぞれ、複数又は単数をも含み得る。２つ以上の項目のリストを参照する用語「又は」及び「若しくは」について、当該用語は以下の解釈のすべてをカバーする。すなわち、当該リストの任意の項目、当該リストのすべての項目、及び当該リストの項目の任意の組み合わせである。用語「代表的」は、ここでは専ら「一例又は一例示として機能する」ことを意味するべく使用される。「代表的」としてここに記載される任意の実装は必ずしも、他の実装に対して好ましい又は有利として解釈されるわけではない。
【０１１０】
本開示は、ここに示される実装に制限されることを意図しない。本開示に記載される実装に対する様々な修正は、当業者にとって容易にわかるものであり、ここに画定される一般的な原理は、本開示の要旨又は範囲を逸脱することなく他の実装に対しても適用することができる。ここに与えられる本発明の教示は、他の方法及びシステムに対しても適用可能であり、上述の方法及びシステムに制限されるわけではなく、上述の様々な実施形態の要素及び行為は、さらなる実施形態を与えるべく組み合わせることができる。したがって、ここに記載される新規な方法及びシステムは、様々な他の形態で具体化することができる。さらに、ここに記載される方法及びシステムの形態における様々な省略、置換及び変更が、本開示の要旨から逸脱することなくなし得る。添付の特許請求の範囲及びその均等物が、本開示の範囲及び要旨に収まるかかる形態又は修正をカバーすることが意図される。
【図１】
2019528656.tif 000004
【図２】
2019528656.tif 000005
【図３】
2019528656.tif 000006
【図４】
2019528656.tif 000007
【図５】
2019528656.tif 000008
【図６】
2019528656.tif 000009
【図７】
2019528656.tif 000010
【図８】
2019528656.tif 000011
【図９】
2019528656.tif 000012
【図１０】
2019528656.tif 000013
【図１１】
2019528656.tif 000014
【図１２】
2019528656.tif 000015
【図１３】
2019528656.tif 000016
【図１４】
2019528656.tif 000017
【図１５】
2019528656.tif 000018
【国際調査報告】
2019528656.tif 000019
2019528656.tif 000020
2019528656.tif 000021